【手続補正書】
【提出日】平成26年12月19日(2014.12.19)
【手続補正１】
【補正対象書類名】明細書
【補正対象項目名】００５５
【補正方法】変更
【補正の内容】
【００５５】
２種の他のエンジン用軽油［ＧＯＭ２（タイプＢ５の軽油、すなわち、５体積％のＭＥＶＯを含有）およびＧＯＭ３（タイプＢ０の軽油、ＭＥＶＯを含まない）］において、樹脂２Ｃを用いた新規なＡＲＡＬ沈降試験を行い、その特性を以下の表６に示す。比較として、獣脂ジプロピレントリアミンを含むドデセニルコハク酸無水物タイプの極性窒素化合物分散剤と組み合わせた非変性アルキルフェノール−アルデヒド樹脂（比較樹脂１）の沈降防止の有効性を評価する。結果を表４（ＧＯＭ２における試験）および表５（ＧＯＭ３における試験）に示す。なお、本発明は、実施の態様として以下の内容を含む。
〔態様１〕
アルキルフェノール−アルデヒド縮合樹脂をＭａｎｎｉｃｈ反応させることによって得ることができる変性アルキルフェノール−アルデヒド樹脂であって、前記変性アルキルフェノール−アルデヒド樹脂は、アルキルフェノール−アルデヒド縮合樹脂を、
・１〜８個の炭素原子（好ましくは１〜４個の炭素原子）を有する少なくとも１種のアルデヒドおよび／または少なくとも１種のケトンと、
・４〜３０個の炭素原子を有し、少なくとも１個のアルキルモノアミン基またはアルキルポリアミン基を有する少なくとも１種の炭化水素化合物（以下、アルキルアミンと称する）とで、
Ｍａｎｎｉｃｈ反応させることによって得ることができ、
前記アルキルフェノール−アルデヒド縮合樹脂自体が、
・１〜３０個の炭素原子を有する少なくとも１個の直鎖または分岐アルキル基で置換された、少なくとも１種のアルキルフェノール（好ましくはモノアルキルフェノール）を、
・１〜８個の炭素原子（好ましくは１〜４個の炭素原子）を有する少なくとも１種のアルデヒドおよび／または少なくとも１種のケトンとを、
縮合させることによって得ることができる、変性アルキルフェノール−アルデヒド樹脂。
〔態様２〕
態様１に記載の変性アルキルフェノール−アルデヒド樹脂において、少なくとも１種の、パラ位で置換されたアルキルフェノール（好ましくはｐ−ノニルフェノール）から得ることができることを特徴とする変性アルキルフェノール−アルデヒド樹脂。
〔態様３〕
態様１または２に記載の変性アルキルフェノール−アルデヒド樹脂において、ホルムアルデヒド、アセトアルデヒド、プロピオンアルデヒド、ブチルアルデヒド、２−エチルヘキサナール、ベンズアルデヒド、およびアセトンから選択される少なくとも１種のアルデヒドおよび／または少なくとも１種のケトンから、（好ましくは少なくともホルムアルデヒドから）得ることができることを特徴とする変性アルキルフェノール−アルデヒド樹脂。
〔態様４〕
態様１〜３のいずれか一態様に記載の変性アルキルフェノール−アルデヒド樹脂において、少なくとも１個の第一級アミン基を有する少なくとも１種のアルキルアミン（有利には、アミン基がすべて第一級アミンである少なくとも１種の化合物）から得ることができることを特徴とする変性アルキルフェノール−アルデヒド樹脂。
〔態様５〕
態様１〜４のいずれか一態様に記載の変性アルキルフェノール−アルデヒド樹脂において、ｐ−ノニルフェノールと、ホルムアルデヒドと、少なくとも１個のアルキルモノアミン基またはアルキルポリアミン基を有する少なくとも１種の炭化水素化合物とから得ることができることを特徴とする変性アルキルフェノール−アルデヒド樹脂。
〔態様６〕
態様１〜５のいずれか一態様に記載の変性アルキルフェノール−アルデヒド樹脂において、脂肪族鎖を有する少なくとも１種のアルキルアミン、または脂肪族鎖を有する複数のアルキルアミンの混合物（好ましくは、炭素数１２〜２４、より好ましくは炭素数１２〜２２の１種または複数のアルキルアミン）から得ることができることを特徴とする変性アルキルフェノール−アルデヒド樹脂。
〔態様７〕
態様１〜６のいずれか一態様に記載の変性アルキルフェノール−アルデヒド樹脂において、３０質量％の芳香族溶媒で希釈した前記樹脂の溶液に関する、剪断速度１００ｓ−１の動的レオメータを使用して測定した５０℃での粘度が、１，０００〜１０，０００ｍＰａ．ｓ（好ましくは１，５００〜６，０００ｍＰａ．ｓ、より有利には２，５００〜５，０００ｍＰａ．ｓ）に含まれることを特徴とする変性アルキルフェノール−アルデヒド樹脂。
〔態様８〕
態様１〜７のいずれか一態様に記載の１種または複数の変性アルキルフェノール−アルデヒド樹脂の使用において、モーター用燃料および液体炭化水素燃料の低温特性を向上させる添加剤としての使用。
〔態様９〕
態様８に記載の使用において、半分を超える部分の沸点範囲が１００〜５００℃に含まれる炭化水素油および中間留分をベースとするモーター用燃料および液体燃料における、ワックスの分散を向上させるための、および／またはワックスの沈降を制限するための１種または複数の変性アルキルフェノール−アルデヒド樹脂の使用。
〔態様１０〕
態様８または９に記載の使用において、１２０〜５００℃（好ましくは１４０〜４００℃）の沸点範囲を有するモーター用燃料および／または燃料（有利には、ジェット燃料、軽油またはディーゼルモーター用燃料、家庭用燃料油、または重質燃料油）に添合された１種または複数の変性アルキルフェノール−アルデヒド樹脂の使用。
〔態様１１〕
半分を超える部分の沸点範囲が１００〜５００℃に含まれるモーター用燃料および液体炭化水素燃料の組成物であって、
炭化水素化合物、ならびに／または植物および／もしくは動物油、ならびに／またはそれらの油のエステル、ならびに／または動物および／もしくは植物由来のバイオディーゼルから構成されるマジョリティ部分と、
態様１から７に記載の少なくとも１種の変性アルキルフェノール−アルデヒド樹脂から（好ましくは５〜５，０００質量ｐｐｍの濃度範囲で）構成されるマイノリティ部分とを含む組成物。
【手続補正２】
【補正対象書類名】特許請求の範囲
【補正対象項目名】全文
【補正方法】変更
【補正の内容】
【特許請求の範囲】
【請求項１】
アルキルフェノール−アルデヒド縮合樹脂をＭａｎｎｉｃｈ反応させることによって得ることができる変性アルキルフェノール−アルデヒド樹脂であって、前記変性アルキルフェノール−アルデヒド樹脂は、アルキルフェノール−アルデヒド縮合樹脂を、
・１〜８個の炭素原子を有する少なくとも１種のアルデヒドおよび／または少なくとも１種のケトンと、
・４〜３０個の炭素原子を有し、少なくとも１個のアルキルモノアミン基またはアルキルポリアミン基を有する少なくとも１種の炭化水素化合物（以下、アルキルアミンと称する）とで、
Ｍａｎｎｉｃｈ反応させることによって得ることができ、
前記アルキルフェノール−アルデヒド縮合樹脂自体が、
・１〜３０個の炭素原子を有する少なくとも１個の直鎖または分岐アルキル基で置換された、少なくとも１種のアルキルフェノール（好ましくはモノアルキルフェノール）を、
・１〜８個の炭素原子を有する少なくとも１種のアルデヒドおよび／または少なくとも１種のケトンとを、
縮合させることによって得ることができる、変性アルキルフェノール−アルデヒド樹脂。
【請求項２】
請求項１に記載の変性アルキルフェノール−アルデヒド樹脂において、少なくとも１種の、パラ位で置換されたアルキルフェノールから得ることができることを特徴とする変性アルキルフェノール−アルデヒド樹脂。
【請求項３】
請求項２に記載の変性アルキルフェノール−アルデヒド樹脂において、パラ位で置換されたアルキルフェノールが、ｐ−ノニルフェノールであることを特徴とする変性アルキルフェノール−アルデヒド樹脂。
【請求項４】
請求項１〜３のいずれか一項に記載の変性アルキルフェノール−アルデヒド樹脂において、ホルムアルデヒド、アセトアルデヒド、プロピオンアルデヒド、ブチルアルデヒド、２−エチルヘキサナール、ベンズアルデヒド、およびアセトンから選択される少なくとも１種のアルデヒドおよび／または少なくとも１種のケトンから得ることができることを特徴とする変性アルキルフェノール−アルデヒド樹脂。
【請求項５】
請求項１〜４のいずれか一項に記載の変性アルキルフェノール−アルデヒド樹脂において、少なくとも１個の第一級アミン基を有する少なくとも１種のアルキルアミン（有利には、アミン基がすべて第一級アミンである少なくとも１種の化合物）から得ることができることを特徴とする変性アルキルフェノール−アルデヒド樹脂。
【請求項６】
請求項５に記載の変性アルキルフェノール−アルデヒド樹脂において、少なくとも１個の第一級アミン基を有するアルキルアミンが、アミン基がすべて第一級アミンである化合物であることを特徴とする変性アルキルフェノール−アルデヒド樹脂。
【請求項７】
請求項１〜６のいずれか一項に記載の変性アルキルフェノール−アルデヒド樹脂において、ｐ−ノニルフェノールと、ホルムアルデヒドと、少なくとも１個のアルキルモノアミン基またはアルキルポリアミン基を有する少なくとも１種の炭化水素化合物とから得ることができることを特徴とする変性アルキルフェノール−アルデヒド樹脂。
【請求項８】
請求項１〜７のいずれか一項に記載の変性アルキルフェノール−アルデヒド樹脂において、脂肪族鎖を有する少なくとも１種のアルキルアミン、または脂肪族鎖を有する複数のアルキルアミンの混合物から得ることができることを特徴とする変性アルキルフェノール−アルデヒド樹脂。
【請求項９】
請求項８に記載の変性アルキルフェノール−アルデヒド樹脂において、１種または複数のアルキルアミンの炭素数が、１２〜２４であることを特徴とする変性アルキルフェノール−アルデヒド樹脂。
【請求項１０】
請求項１〜９のいずれか一項に記載の変性アルキルフェノール−アルデヒド樹脂において、３０質量％の芳香族溶媒で希釈した前記樹脂の溶液に関する、剪断速度１００ｓ−１の動的レオメータを使用して測定した５０℃での粘度が、１，０００〜１０，０００ｍＰａ．ｓに含まれることを特徴とする変性アルキルフェノール−アルデヒド樹脂。
【請求項１１】
請求項１〜１０のいずれか一項に記載の１種または複数の変性アルキルフェノール−アルデヒド樹脂の使用において、モーター用燃料および液体炭化水素燃料の低温特性を向上させる添加剤としての使用。
【請求項１２】
請求項１１に記載の使用において、半分を超える部分の沸点範囲が１００〜５００℃に含まれる炭化水素油および中間留分をベースとするモーター用燃料および液体燃料における、ワックスの分散を向上させるための、および／またはワックスの沈降を制限するための１種または複数の変性アルキルフェノール−アルデヒド樹脂の使用。
【請求項１３】
請求項１１または１２に記載の使用において、１２０〜５００℃の沸点範囲を有するモーター用燃料および／または燃料に添合された１種または複数の変性アルキルフェノール−アルデヒド樹脂の使用。
【請求項１４】
請求項１３に記載の使用において、変性アルキルフェノール−アルデヒド樹脂が、ジェット燃料、軽油またはディーゼルモーター用燃料、家庭用燃料油、または重質燃料油に添合される、使用。
【請求項１５】
半分を超える部分の沸点範囲が１００〜５００℃に含まれるモーター用燃料および液体炭化水素燃料の組成物であって、
炭化水素化合物、ならびに／または植物および／もしくは動物油、ならびに／またはそれらの油のエステル、ならびに／または動物および／もしくは植物由来のバイオディーゼルから構成されるマジョリティ部分と、
請求項１から１０に記載の少なくとも１種の変性アルキルフェノール−アルデヒド樹脂から構成されるマイノリティ部分とを含む組成物。
【請求項１６】
請求項１５に記載の組成物において、請求項１から１０に記載の少なくとも１種の変性アルキルフェノール−アルデヒド樹脂を、５〜５，０００質量ｐｐｍの濃度範囲で含む組成物。